(57)【要約】【課題】現実の外光の照度に対応してＬＥＤから照射される光の色を使い分けすることのできる植物育成用ＬＥＤ電球を提供する。【解決手段】植物に育成光を提供する複数のＬＥＤチップ１０が配置された基板１と、複数のＬＥＤチップ１０を点灯させる点灯回路２０が基体部２内に設けられ、基体部２の前方にはグローブ３が取付けられ、後方には点灯回路２０と電気的に接続された口金４が取付けられ、複数のＬＥＤチップ１０は、赤色ＬＥＤを照射する複数の赤色ＬＥＤ１１と、白色ＬＥＤを照射する複数の白色発光用ＬＥＤ１２を有し、外光を取り入れる光取入口３０と、外光の照度を検知するセンサー３１と、センサー３１の検知した照度が第一所定値を超えるときには複数の赤色ＬＥＤ１１を点灯しかつ複数の白色発光用ＬＥＤ１２を消灯し、第一所定値以下になると複数の赤色ＬＥＤ１１を消灯しかつ複数の白色発光用ＬＥＤ１２を点灯する切替え手段４０を備える。【選択図】図１
2020068685.tif 000002
【特許請求の範囲】
【請求項１】
植物に育成光を提供する複数のＬＥＤチップが配置された基板と、前記複数のＬＥＤチップを点灯させる点灯回路が基体部内に設けられ、前記基体部の前方には、前記基板を複数のＬＥＤチップとともに覆うグローブが取付けられ、前記基体部の後方には、前記点灯回路と電気的に接続された口金が取付けられた植物育成用ＬＥＤ電球であって、
前記複数のＬＥＤチップは、赤色ＬＥＤを照射する複数の赤色ＬＥＤと、白色ＬＥＤを照射する複数の白色発光用ＬＥＤを有し、
外光を取り入れる光取入口と、
前記光取付口から取り入れられた外光の照度を検知するセンサーと、
前記センサーの検知した照度が第一所定値を超えるときには、前記複数の赤色ＬＥＤを点灯するとともに前記複数の白色発光用ＬＥＤを消灯し、前記第一所定値以下になると、前記複数の赤色ＬＥＤを消灯するとともに前記複数の白色発光用ＬＥＤを点灯する切替え手段を備えることを特徴とする植物育成用ＬＥＤ電球。
【請求項２】
前記基板は、前記複数の赤色ＬＥＤが配置された第一領域と、前記複数の白色発光用ＬＥＤが配置された第二領域を有し、
前記第一領域における前記複数の赤色ＬＥＤの中に、白色ＬＥＤを照射し、前記複数の赤色ＬＥＤより個数の少ない補完白色発光用ＬＥＤを点在させ、
前記切替え手段は、前記複数の赤色ＬＥＤと同時に前記補完白色発光用ＬＥＤを点灯させ、前記複数の赤色ＬＥＤと同時に前記補完白色発光用ＬＥＤを消灯させることを特徴とする請求項１に記載の植物育成用ＬＥＤ電球。
【請求項３】
前記基板は、前記複数の赤色ＬＥＤが配置された第一領域と、前記複数の白色発光用ＬＥＤが配置された第二領域を有し、
前記第一領域における前記複数の赤色ＬＥＤの中に、白色ＬＥＤを照射し、前記複数の赤色ＬＥＤより個数の少ない補完白色発光用ＬＥＤを点在させ、
前記切替え手段は、前記センサーの検知した照度が前記第一所定値を超えた第二所定値を超えた場合にだけ、前記複数の赤色ＬＥＤと同時に前記補完白色発光用ＬＥＤを点灯させ、前記第二所定値以下では前記補完白色発光用ＬＥＤを消灯させることを特徴とする請求項１に記載の植物育成用ＬＥＤ電球。
【請求項４】
前記複数の赤色ＬＥＤの個数と前記補完白色発光用ＬＥＤの個数の比率を２対１以下にしたことを特徴とする請求項２又は３に記載の植物育成用ＬＥＤ電球。
【請求項５】
前記白色発光用ＬＥＤと前記補完白色発光用ＬＥＤは、青色ＬＥＤに蛍光剤が塗布され白色ＬＥＤを照射するようにしたものであることを特徴とする請求項１乃至４のうちいずれか一つに記載の植物育成用ＬＥＤ電球。
【発明の詳細な説明】
【技術分野】
【０００１】
本発明は、園芸や農業用植物のために育成光を提供する植物育成用ＬＥＤ電球に関するものである。
【背景技術】
【０００２】
近年、植物の生長を促すために赤色の光が有効であることがわかり、園芸や農業用植物のために赤色ＬＥＤが利用されている（例えば、特許文献１，２参照）。特に、日照不足の場合には、赤色ＬＥＤを植物に照射することは有効的である。
【０００３】
特許文献１に記載の発明は、近赤外及び可視光による植物の育成及び発育の刺激方法及び装置に関するものであり、特許文献１の表３に記載されたように、時間毎に複数種類のＬＥＤをオンオフするタイミングを変化させたものである。
また、特許文献２に記載の発明は、植物育成システムに関するものであり、植物育成建屋内に作業者が入退場したことを検知して、入場したときに白色のＬＥＤに電力を供給して白色ＬＥＤを照射するようにしたものである。
【先行技術文献】
【特許文献】
【０００４】
【特許文献１】特表２０１８−５１０６５６号公報
【特許文献２】特開２０１１−１７７１２７号公報
【発明の概要】
【発明が解決しようとする課題】
【０００５】
しかしながら、特許文献１に記載の発明のように、時間毎に複数種類のＬＥＤをオンオフさせるものでは、太陽光の照度は天候や季節によっても異なるため時間毎にＬＥＤを切り替えるものでは植物の生長を促すために赤色の光を有効的に照射するものではない。
また、特許文献２に記載の発明のように、作業者の入場時に白色ＬＥＤを照射するものでは、太陽光の照度が高く白色ＬＥＤを照射する必要がない場合もある。そのような場合に、白色ＬＥＤを照射することは省エネルギーに反するものである。
【０００６】
すなわち、太陽光を含む外光の照度に対応してＬＥＤを照射させる必要がある。
例えば、太陽光が明るい時は、赤色ＬＥＤの発光と太陽光によって、農作業は可能であるが、夕方以降暗くなると、赤色ＬＥＤだけでは暗くなってしまい農作業ができないため、別の明るい光源が必要になってくる。
【０００７】
そこで、本発明の目的とするところは、現実の外光の照度に対応してＬＥＤから照射される光の色を使い分けすることのできる植物育成用ＬＥＤ電球を提供することにある。
【課題を解決するための手段】
【０００８】
上記の目的を達成するために、本発明の植物育成用ＬＥＤ電球は、植物に育成光を提供する複数のＬＥＤチップ（１０）が配置された基板（１）と、前記複数のＬＥＤチップ（１０）を点灯させる点灯回路（２０）が基体部（２）内に設けられ、前記基体部（２）の前方には、前記基板（１）を複数のＬＥＤチップ（１０）とともに覆う（ドーム状に突出した）グローブ（３）が取付けられ、前記基体部（２）の後方には、前記点灯回路（２０）と電気的に接続された口金（４）が取付けられた植物育成用ＬＥＤ電球（１００）であって、
前記複数のＬＥＤチップ（１０）は、赤色ＬＥＤを照射する複数の赤色ＬＥＤ（１１）と、白色ＬＥＤを照射する複数の白色発光用ＬＥＤ（１２）を有し、
外光を取り入れる光取入口（３０）と、
前記光取付口（３０）から取り入れられた外光の照度を検知するセンサー（３１）と、
前記センサー（３１）の検知した照度が第一所定値（３０ルクス）を超えるときには、前記複数の赤色ＬＥＤ（１１）を点灯するとともに前記複数の白色発光用ＬＥＤ（１２）を消灯し、前記第一所定値（３０ルクス）以下になると、前記複数の赤色ＬＥＤ（１１）を消灯するとともに前記複数の白色発光用ＬＥＤ（１２）を点灯する切替え手段（４０）を備えることを特徴とする。
【０００９】
また、請求項２に記載の発明は、前記基板は、前記複数の赤色ＬＥＤ（１１）が配置された第一領域（Ｘ）と、前記複数の白色発光用ＬＥＤ（１２）が配置された第二領域（Ｙ）を有し、
前記第一領域（Ｘ）における前記複数の赤色ＬＥＤ（１１）の中に、白色ＬＥＤを照射し、前記複数の赤色ＬＥＤ（１１）より個数の少ない補完白色発光用ＬＥＤ（１３）を点在させ、
前記切替え手段（４０）は、前記複数の赤色ＬＥＤ（１１）と同時に前記補完白色発光用ＬＥＤ（１３）を点灯させ、前記複数の赤色ＬＥＤ（１１）と同時に前記補完白色発光用ＬＥＤ（１３）を消灯させることを特徴とする。
【００１０】
また、請求項３に記載の発明は、前記基板は、前記複数の赤色ＬＥＤ（１１）が配置された第一領域（Ｘ）と、前記複数の白色発光用ＬＥＤ（１２）が配置された第二領域（Ｙ）を有し、
前記第一領域（Ｘ）における前記複数の赤色ＬＥＤ（１１）の中に、白色ＬＥＤを照射し、前記複数の赤色ＬＥＤ（１１）より個数の少ない補完白色発光用ＬＥＤ（１３）を点在させ、
前記切替え手段（４０）は、前記センサー（３１）の検知した照度が前記第一所定値（３０ルクス）を超えた第二所定値（４０ルクス）を超えた場合にだけ、前記複数の赤色ＬＥＤ（１１）と同時に前記補完白色発光用ＬＥＤ（１３）を点灯させ、前記第二所定値以下（４０ルクス）では前記補完白色発光用ＬＥＤ（１３）を消灯させることを特徴とする。
【００１１】
また、請求項４に記載の発明は、前記複数の赤色ＬＥＤ（１１）の個数と前記補完白色発光用ＬＥＤ（１３）の個数の比率を２対１以下にしたことを特徴とする。
【００１２】
また、請求項５に記載の発明は、前記白色発光用ＬＥＤ（１２）と前記補完白色発光用（１３）ＬＥＤは、青色ＬＥＤに蛍光剤が塗布され白色ＬＥＤを照射するようにしたものであることを特徴とする。
【００１３】
なお、上記括弧内の記号は、図面および後述する発明を実施するための形態に掲載された対応要素または対応事項を示す。
【発明の効果】
【００１４】
本発明の植物育成用ＬＥＤ電球によれば、光取付口から取り入れられた外光の照度を検知するセンサーを有し、切替え手段を介して、センサーが検知した照度が第一所定値を超えるときには、複数の赤色ＬＥＤを点灯するとともに複数の白色発光用ＬＥＤを消灯するので、例えば、太陽光の明るいときに複数の赤色ＬＥＤを点灯して太陽光に加えて赤色ＬＥＤを照射することで植物を効果的に育成させることができる。
そして、センサーが検知した照度が第一所定値以下になると、複数の赤色ＬＥＤを消灯するとともに複数の白色発光用ＬＥＤを点灯するので、例えば、夕方など太陽光が暗くなると、あるいは日中であっても雨や曇りなどで太陽光が暗くなると自動的に複数の白色発光用ＬＥＤが点灯して周りを明るくする。よって、夕方から夜間にかけて、あるいは日中でも太陽光の暗いときであっても明るい雰囲気で農作業などを行うことができる。
【００１５】
このように、本発明によれば、現実の外光の照度に対応してＬＥＤから照射される光の色を使い分けすることができるので、効率的で経済的にも有利である。
また、複数のＬＥＤチップやセンサーや切替え手段は、一つの電球の中に設けられているためコストを抑えることができるとともに、設置も極めて容易で大規模な装置を必要としない。
【００１６】
また、本発明によれば、基板を、複数の赤色ＬＥＤが配置された第一領域と、複数の白色発光用ＬＥＤが配置された第二領域に分けているので、オンオフ（点灯及び消灯）の切替えを簡単に行うことができる。
また、第一領域における複数の赤色ＬＥＤの中には、白色ＬＥＤを照射し、複数の赤色ＬＥＤより個数の少ない補完白色発光用ＬＥＤを点在させていて、複数の赤色ＬＥＤと同時に補完白色発光用ＬＥＤを点灯させ、複数の赤色ＬＥＤと同時に補完白色発光用ＬＥＤを消灯させるようにしているので、複数の赤色ＬＥＤと同時に補完白色発光用ＬＥＤを点灯させたときには全体としてピンク色の光となる。
特に、太陽光が明るいときに複数の赤色ＬＥＤだけが点灯している場合には、赤発光が作業者に不快感を与えることがあるが、この場合にはピンク色の光としたので作業者の負担を減らすことができる。
【００１７】
また、本発明によれば、切替え手段は、センサーの検知した照度が第一所定値を超えた第二所定値を超えた場合にだけ、複数の赤色ＬＥＤと同時に補完白色発光用ＬＥＤを点灯させ、第二所定値以下では補完白色発光用ＬＥＤを消灯させるようにしたので、太陽光などの外光が特に明るいときにだけピンク色の光とすることができる。
なお、複数の赤色ＬＥＤの個数と補完白色発光用ＬＥＤの個数の比率を２対１以下にすることが好ましい。
【００１８】
また、本発明によれば、白色発光用ＬＥＤと補完白色発光用ＬＥＤは、青色ＬＥＤに蛍光剤が塗布され白色ＬＥＤを照射するようにしたものであるので、簡易な構成とすることができる。
【００１９】
なお、本発明の植物育成用ＬＥＤ電球のように、外光の照度に対応して植物に照射する光の色を変化させるようにしたものは、上述した特許文献１，２には全く記載されていない。
【図面の簡単な説明】
【００２０】
【図１】本発明の実施形態に係る植物育成用ＬＥＤ電球の外観斜視図である。
【図２】図１に示す植物育成用ＬＥＤ電球の基板におけるＬＥＤの配列を示す平面図である。
【図３】図１に示す植物育成用ＬＥＤ電球に対する電源供給を示す回路図である。
【図４】図１に示す植物育成用ＬＥＤ電球におけるＬＥＤのオンオフを制御する回路図である。
【発明を実施するための形態】
【００２１】
図面を参照して、本発明の実施形態に係る植物育成用ＬＥＤ電球１００について説明する。
この植物育成用ＬＥＤ電球１００は、太陽光に加えてＬＥＤからの光を植物に対する育成光として提供するものであり、図１に示すように、ラッパ状の基体部２の前方にグローブ３が取付けられ、基体部２の後方に口金４が取付けられている。
【００２２】
基体部２内には、図２に示すような、複数のＬＥＤチップ１０が配置された基板１と、図３及び図４に示すような、複数のＬＥＤチップ１０を点灯させる点灯回路２０が設けられている。
基体部２の側面には外光を取り入れる光取入口３０が設けられている。
グローブ３は、前方に向かってドーム状に突出していて、基板１を複数のＬＥＤチップ１０とともに覆っている。
口金４は、点灯回路２０と電気的に接続されていて、図示しないソケットに嵌め込まれるようになっている。
【００２３】
複数のＬＥＤチップ１０は、赤色ＬＥＤを照射する複数の赤色ＬＥＤ１１と、白色ＬＥＤを照射する複数の白色発光用ＬＥＤ１２を有している。白色発光用ＬＥＤ１２は、青色ＬＥＤに蛍光剤を塗布することによって白色ＬＥＤが照射されるようにしたものである。
複数の赤色ＬＥＤ１１は、図２に示すように、基板１の略半分を占める第一領域Ｘの表面に配置され、白色発光用ＬＥＤ１２は、基板１の残り略半分を占める第二領域Ｙの表面に配置されている。また、第一領域Ｘにおいて、複数の赤色ＬＥＤ１１の中には、白色ＬＥＤを照射する補完白色発光用ＬＥＤ１３を点在させていて、補完白色発光用ＬＥＤ１３の個数は複数の赤色ＬＥＤ１１より個数よりも少なくしている。
【００２４】
図２では、補完白色発光用ＬＥＤ１３を斜線で示した。ここでは、５０個の赤色ＬＥＤ１１と５個の補完白色発光用ＬＥＤ１３、計５５個のＬＥＤ１１，１２を第一領域Ｘに配置し、６０個の白色発光用ＬＥＤ１２を第二領域Ｙに配置している。
なお、赤色ＬＥＤ１１の発光波長としては、６２０〜６７０nmのものを使用し、白色発光用ＬＥＤ１２及び補完白色発光用ＬＥＤ１３の発光波長としては、４５０〜４８０nmのものを使用した。
【００２５】
また、基板１には、光取付口３０から取り入れられた外光の照度を検知するセンサー３１や、ＦＥＴ３２，３３や、ホトカプラ３４や、ダイオードブリッジ３５や、定電流回路３６や、その他、各種抵抗，コンデンサ，ゼナーダイオード，ヒューズなどが配置されている。
【００２６】
点灯回路２０は、図３に示すような、植物育成用ＬＥＤ電球１００に電源を供給する回路と、図４に示すような、複数のＬＥＤチップ１０のオンオフを制御する回路からなる。
電源を供給する回路は、１００Ｖの交流電源２１に安全ヒューズ２２を介して接続されたダイオードブリッジ３５で交流を直流に変換した後、直流を平滑する平滑コンデンサ２３と定電流回路３６によって一定の直流電流を、図４に示すように、複数のＬＥＤチップ１０に対して供給している。また、定電流回路３６に入力される前の直流電流を、制限抵抗２４を介してセンサー３１と、ホトカプラ３４のトランジスタに供給している。
【００２７】
センサー３１は光センサーであり、センサー３１に対してノイズ対策用のコンデンサ２５と、複数の白色発光用ＬＥＤ１２を点灯させるためのＦＥＴ３２を保護するゼナーダイオード２６が並列に設けられている。複数の白色発光用ＬＥＤ１２は直列に接続されている。また、ホトカプラ３４には適切な電流を流すための制限抵抗２７が接続されている。
また、複数の赤色ＬＥＤ１１と補完白色発光用ＬＥＤ１３も直列に接続されていて、これらを点灯させるためのＦＥＴ３３も設けられている。ＦＥＴ３３には、それを保護するゼナーダイオード２８が並列に設けられ、ＦＥＴ３３に適切な電流を流すための制限抵抗２９も設けられている。
【００２８】
ＦＥＴ３２，３３とホトカプラ３４は、複数のＬＥＤチップ１０のオンオフを切り替える切替え手段４０としてはたらくものであり、太陽光が明るいときは、センサー３１の抵抗値が低く、ＦＥＴ３２はオフ（ＯＦＦ）状態となるので、複数の白色発光用ＬＥＤ１２は点灯しない。また、このときホトカプラ３４の発光側も点灯しないため受光側はオン（ＯＮ）状態とならない。そのため、制限抵抗２９を通った電圧はＦＥＴ３３にかかり、ＦＥＴ３３はオン（ＯＮ）状態となるので、複数の赤色ＬＥＤ１１と補完白色発光用ＬＥＤ１３は点灯する。
すなわち、太陽光が明るいときは、複数の赤色ＬＥＤ１１と補完白色発光用ＬＥＤ１３は点灯し、かつ複数の白色発光用ＬＥＤ１２は点灯しない。
本実施形態では、太陽光が明るいときとは、センサー３１の検知した照度が第一所定値（３０ルクス）を超えるときとした。
【００２９】
次に、太陽光が暗くなれば、ここでは、センサー３１の検知した照度が第一所定値（３０ルクス）以下になると、センサー３１の抵抗値があがり、ＦＥＴ３２はオン（ＯＮ）状態となるので、複数の白色発光用ＬＥＤ１２が点灯する。また、このときホトカプラ３４の発光側が点灯するので、制限抵抗２９を通った電圧はＦＥＴ３３にかからなくなるので、ＦＥＴ３３はオフ（ＯＦＦ）状態となり、複数の赤色ＬＥＤ１１と補完白色発光用ＬＥＤ１３は消灯する。
すなわち、太陽光が暗いときは、複数の赤色ＬＥＤ１１と補完白色発光用ＬＥＤ１３は消灯し、かつ複数の白色発光用ＬＥＤ１２が点灯する。
【００３０】
以上のように構成された植物育成用ＬＥＤ電球１００によれば、光取付口３０から取り入れられた外光の照度を検知するセンサー３１が検知し、その検知した照度が第一所定値（３０ルクス）を超えるときには、切替え手段４０が、複数の赤色ＬＥＤ１１を点灯するとともに複数の白色発光用ＬＥＤ１２を消灯するので、例えば、太陽光の明るいときに複数の赤色ＬＥＤ１１を点灯して太陽光に加えて赤色ＬＥＤを照射することで植物を効果的に育成させることができる。
そして、センサー３１が検知した照度が第一所定値（３０ルクス）以下になると、切替え手段４０は、複数の赤色ＬＥＤ１１を消灯するとともに複数の白色発光用ＬＥＤ１２を点灯するので、例えば、夕方など太陽光が暗くなると、あるいは日中であっても雨や曇りなどで太陽光が暗くなると自動的に複数の白色発光用ＬＥＤ１２が点灯して周りを明るくする。よって、夕方から夜間にかけて、あるいは日中でも太陽光の暗いときであっても明るい雰囲気で農作業などを行うことができる。
【００３１】
このように、現実の外光の照度に対応してＬＥＤから照射される光の色を赤色から白色に、あるいは白色から赤色に切替えて使い分けすることができるので、効率的で経済的にも有利である。
また、複数のＬＥＤチップやセンサーや切替え手段４０は、一つの電球の中に設けられているためコストを抑えることができるとともに、設置も極めて容易で大規模な装置を必要としない。
【００３２】
また、基板１は、複数の赤色ＬＥＤ１１と複数の補完白色発光用ＬＥＤ１３が配置された第一領域Ｘと、複数の白色発光用ＬＥＤ１２が配置された第二領域Ｙに分けられているので、オンオフ（点灯及び消灯）の切替えを簡単に行うことができる。
【００３３】
また、第一領域Ｘにおける複数の赤色ＬＥＤ１１の中には、補完白色発光用ＬＥＤ１３を点在させていて、複数の赤色ＬＥＤ１１と同時に補完白色発光用ＬＥＤ１３を点灯させ、複数の赤色ＬＥＤ１１と同時に補完白色発光用ＬＥＤ１３を消灯させるようにしているので、複数の赤色ＬＥＤ１１と同時に補完白色発光用ＬＥＤ１３を点灯させたときには全体としてピンク色の光とすることができる。
特に、太陽光が明るいときに複数の赤色ＬＥＤ１１だけが点灯している場合には、赤発光が作業者に不快感を与えることがあるが、この場合にはピンク色の光としたので作業者の負担を減らすことができる。なお、複数の赤色ＬＥＤ１１の個数と補完白色発光用ＬＥＤ１３の個数の比率については、２対１以下にすることが好ましい。
【００３４】
なお、本実施形態では、切替え手段４０を介して、センサー３１が検知した照度が第一所定値（３０ルクス）を超えるときには、複数の赤色ＬＥＤ１１に加えて複数の補完白色発光用ＬＥＤ１３を点灯し、第一所定値（３０ルクス）以下になると複数の赤色ＬＥＤ１１と複数の補完白色発光用ＬＥＤ１３を同時に消灯するようにしたが、第一所定値（３０ルクス）を超えた第二所定値（例えば、４０ルクス）を閾値として設け、その第二所定値（例えば、４０ルクス）を超えた場合にだけ、複数の赤色ＬＥＤ１１と同時に補完白色発光用ＬＥＤ１３を点灯させ、第二所定値（例えば、４０ルクス）以下では補完白色発光用ＬＥＤ１３だけを消灯させるようにしてもよい。
これによれば、太陽光などの外光が特に明るいときにだけピンク色の光とすることができる。
【００３５】
また、本実施形態では、図３及び図４に示すような点灯回路２０を使用したが、複数のＬＥＤチップ１０が電源が供給されるとともに、複数のＬＥＤチップ１０のオンオフ制御ができる回路であれば他の回路であってもよい。
また、切替え手段４０としてＦＥＴ３２，３３とホトカプラ３４を使用したが、これにかえて、ＣＰＵを使用してセンサー３１が検知した照度を読み取って複数のＬＥＤチップ１０のオンオフを制御するようにしてもよい。
また、複数の白色発光用ＬＥＤ１２にかえて、複数の青色ＬＥＤを夜間照明として使用して防犯効果を高めるようにすることもできる。
【符号の説明】
【００３６】
１      基板
２      基体部
３      グローブ
４      口金
１０      ＬＥＤチップ
１１      赤色ＬＥＤ
１２      白色発光用ＬＥＤ
１３      補完白色発光用ＬＥＤ
２０      点灯回路
２１      交流電源
２２      ヒューズ
２３      平滑コンデンサ
２４      制限抵抗
２５      コンデンサ
２６      ゼナーダイオード
２７      制限抵抗
２８      ゼナーダイオード
２９      制限抵抗
３０      光取入口
３１      センサー
３２      ＦＥＴ（切替え手段）
３３      ＦＥＴ（切替え手段）
３４      ホトカプラ（切替え手段）
３５      ダイオードブリッジ
３６      定電流回路
４０      切替え手段
１００      植物育成用ＬＥＤ電球
Ｘ      第一領域
Ｙ      第二領域
【図１】
2020068685.tif 000003
【図２】
2020068685.tif 000004
【図３】
2020068685.tif 000005
【図４】
2020068685.tif 000006
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
植物に育成光を提供する複数のＬＥＤチップが配置された基板と、前記複数のＬＥＤチップを点灯させる点灯回路が基体部内に設けられ、前記基体部の前方には、前記基板を複数のＬＥＤチップとともに覆うグローブが取付けられ、前記基体部の後方には、前記点灯回路と電気的に接続された口金が取付けられた植物育成用ＬＥＤ電球であって、
前記複数のＬＥＤチップは、赤色ＬＥＤを照射する複数の赤色ＬＥＤと、白色ＬＥＤを照射する複数の白色発光用ＬＥＤを有し、
外光を取り入れる光取入口と、
前記光取入口から取り入れられた外光の照度を検知するセンサーと、
前記センサーの検知した照度が第一所定値を超えるときには、前記複数の赤色ＬＥＤを点灯するとともに前記複数の白色発光用ＬＥＤを消灯し、前記第一所定値以下になると、前記複数の赤色ＬＥＤを消灯するとともに前記複数の白色発光用ＬＥＤを点灯する切替え手段を備えることを特徴とする植物育成用ＬＥＤ電球。
【請求項２】
前記基板は、前記複数の赤色ＬＥＤが配置された第一領域と、前記複数の白色発光用ＬＥＤが配置された第二領域を有し、
前記第一領域における前記複数の赤色ＬＥＤの中に、白色ＬＥＤを照射し、前記複数の赤色ＬＥＤより個数の少ない補完白色発光用ＬＥＤを点在させ、
前記切替え手段は、前記複数の赤色ＬＥＤと同時に前記補完白色発光用ＬＥＤを点灯させ、前記複数の赤色ＬＥＤと同時に前記補完白色発光用ＬＥＤを消灯させることを特徴とする請求項１に記載の植物育成用ＬＥＤ電球。
【請求項３】
前記基板は、前記複数の赤色ＬＥＤが配置された第一領域と、前記複数の白色発光用ＬＥＤが配置された第二領域を有し、
前記第一領域における前記複数の赤色ＬＥＤの中に、白色ＬＥＤを照射し、前記複数の赤色ＬＥＤより個数の少ない補完白色発光用ＬＥＤを点在させ、
前記切替え手段は、前記センサーの検知した照度が前記第一所定値を超えた第二所定値を超えた場合にだけ、前記複数の赤色ＬＥＤと同時に前記補完白色発光用ＬＥＤを点灯させ、前記第二所定値以下では前記補完白色発光用ＬＥＤを消灯させることを特徴とする請求項１に記載の植物育成用ＬＥＤ電球。
【請求項４】
前記複数の赤色ＬＥＤの個数と前記補完白色発光用ＬＥＤの個数の比率を２対１以下にしたことを特徴とする請求項２又は３に記載の植物育成用ＬＥＤ電球。
【請求項５】
前記白色発光用ＬＥＤと前記補完白色発光用ＬＥＤは、青色ＬＥＤに蛍光剤が塗布され白色ＬＥＤを照射するようにしたものであることを特徴とする請求項２乃至４のうちいずれか一つに記載の植物育成用ＬＥＤ電球。
【手続補正２】
【補正対象書類名】明細書
【補正対象項目名】０００８
【補正方法】変更
【補正の内容】
【０００８】
上記の目的を達成するために、本発明の植物育成用ＬＥＤ電球は、植物に育成光を提供する複数のＬＥＤチップ（１０）が配置された基板（１）と、前記複数のＬＥＤチップ（１０）を点灯させる点灯回路（２０）が基体部（２）内に設けられ、前記基体部（２）の前方には、前記基板（１）を複数のＬＥＤチップ（１０）とともに覆う（ドーム状に突出した）グローブ（３）が取付けられ、前記基体部（２）の後方には、前記点灯回路（２０）と電気的に接続された口金（４）が取付けられた植物育成用ＬＥＤ電球（１００）であって、
前記複数のＬＥＤチップ（１０）は、赤色ＬＥＤを照射する複数の赤色ＬＥＤ（１１）と、白色ＬＥＤを照射する複数の白色発光用ＬＥＤ（１２）を有し、
外光を取り入れる光取入口（３０）と、
前記光取入口（３０）から取り入れられた外光の照度を検知するセンサー（３１）と、
前記センサー（３１）の検知した照度が第一所定値（３０ルクス）を超えるときには、前記複数の赤色ＬＥＤ（１１）を点灯するとともに前記複数の白色発光用ＬＥＤ（１２）を消灯し、前記第一所定値（３０ルクス）以下になると、前記複数の赤色ＬＥＤ（１１）を消灯するとともに前記複数の白色発光用ＬＥＤ（１２）を点灯する切替え手段（４０）を備えることを特徴とする。
【手続補正３】
【補正対象書類名】明細書
【補正対象項目名】００１４
【補正方法】変更
【補正の内容】
【００１４】
本発明の植物育成用ＬＥＤ電球によれば、光取入口から取り入れられた外光の照度を検知するセンサーを有し、切替え手段を介して、センサーが検知した照度が第一所定値を超えるときには、複数の赤色ＬＥＤを点灯するとともに複数の白色発光用ＬＥＤを消灯するので、例えば、太陽光の明るいときに複数の赤色ＬＥＤを点灯して太陽光に加えて赤色ＬＥＤを照射することで植物を効果的に育成させることができる。
そして、センサーが検知した照度が第一所定値以下になると、複数の赤色ＬＥＤを消灯するとともに複数の白色発光用ＬＥＤを点灯するので、例えば、夕方など太陽光が暗くなると、あるいは日中であっても雨や曇りなどで太陽光が暗くなると自動的に複数の白色発光用ＬＥＤが点灯して周りを明るくする。よって、夕方から夜間にかけて、あるいは日中でも太陽光の暗いときであっても明るい雰囲気で農作業などを行うことができる。
【手続補正４】
【補正対象書類名】明細書
【補正対象項目名】００２５
【補正方法】変更
【補正の内容】
【００２５】
また、基板１には、光取入口３０から取り入れられた外光の照度を検知するセンサー３１や、ＦＥＴ３２，３３や、ホトカプラ３４や、ダイオードブリッジ３５や、定電流回路３６や、その他、各種抵抗，コンデンサ，ゼナーダイオード，ヒューズなどが配置されている。
【手続補正５】
【補正対象書類名】明細書
【補正対象項目名】００３０
【補正方法】変更
【補正の内容】
【００３０】
以上のように構成された植物育成用ＬＥＤ電球１００によれば、光取入口３０から取り入れられた外光の照度を検知するセンサー３１が検知し、その検知した照度が第一所定値（３０ルクス）を超えるときには、切替え手段４０が、複数の赤色ＬＥＤ１１を点灯するとともに複数の白色発光用ＬＥＤ１２を消灯するので、例えば、太陽光の明るいときに複数の赤色ＬＥＤ１１を点灯して太陽光に加えて赤色ＬＥＤを照射することで植物を効果的に育成させることができる。
そして、センサー３１が検知した照度が第一所定値（３０ルクス）以下になると、切替え手段４０は、複数の赤色ＬＥＤ１１を消灯するとともに複数の白色発光用ＬＥＤ１２を点灯するので、例えば、夕方など太陽光が暗くなると、あるいは日中であっても雨や曇りなどで太陽光が暗くなると自動的に複数の白色発光用ＬＥＤ１２が点灯して周りを明るくする。よって、夕方から夜間にかけて、あるいは日中でも太陽光の暗いときであっても明るい雰囲気で農作業などを行うことができる。